【手続補正書】
【提出日】令和3年3月4日(2021.3.4)
【手続補正１】
【補正対象書類名】特許請求の範囲
【補正対象項目名】全文
【補正方法】変更
【補正の内容】
【特許請求の範囲】
【請求項１】
ａ）基材を提供すること；
ｂ）前記基材に、１つ以上の光開始剤を含む、１つ以上のエネルギー硬化性インクまたはコーティング層（Ａ）を塗布すること；
ｃ）前記基材に光開始剤を含まない１つ以上のエネルギー硬化性インクまたはコーティング層（Ｂ）を塗布すること；ならびに
ｄ）印刷実行の終わりに全てのコーティングおよび／またはインク層を同時に硬化させること；
を含み、
前記エネルギー硬化性インクまたはコーティング層の１つ以上はプライマーコーティングであってもよく；ならびに
前記エネルギー硬化性インクまたはコーティング層の１つ以上はトップコートであってもよく；
ただし、前記インクまたはコーティング層の少なくとも１つは１つ以上の光開始剤を含むことを条件とする、印刷物品を調製するウエットトラッピング法。
【請求項２】
少なくとも１つのＵＶ硬化性インクまたはコーティング層は、アクリレート、グラフト化ポリスチレン、ビニル化合物、環状ラクタム、またはアクリルアミドの１つ以上を含む、請求項１に記載の方法。
【請求項３】
前記インクまたはコーティング層の１つ以上は、エネルギー硬化型材料および非エネルギー硬化型材料を含むハイブリッドインクまたはコーティングである、請求項１又は２に記載の方法。
【請求項４】
前記ハイブリッドインクまたはコーティング層はウエットトラッピング前に乾燥される、及び／又は、前記インクまたはコーティング層の全てが塗布された後の熱の使用をさらに含む、請求項３に記載の方法。
【請求項５】
前記インクまたはコーティング層（Ｂ）の１つ以上は、少量の光開始剤を、１０ｗｔ％未満の量でさらに含む、及び／又は、１つ以上のインクまたはコーティング層は、アミン共力剤をさらに含む、請求項１〜４のいずれか一項に記載の方法。
【請求項６】
前記アミン共力剤の少なくとも１つは三級アミン共力剤である、請求項５に記載の方法。
【請求項７】
前記三級アミンは２−エチルヘキシル−４−ジメチルアミノベンゾエートである、又は、前記三級アミンはジエチルアミンおよびトリプロピレングリコールジアクリレートの付加物である、請求項６に記載の方法。
【請求項８】
前記光開始剤は、Ｉ型光開始剤、ＩＩ型光開始剤、ポリマー光開始剤、カチオン性光開始剤、およびそれらの組み合わせからなる群より選択される、請求項１〜７のいずれか一項に記載の方法。
【請求項９】
前記インクまたはコーティング層の１つ以上は、顔料、剥離添加物、流れ添加物、および消泡剤からなる群より選択される１つ以上の材料をさらに含む、及び／又は、ビスフェノール−Ａから生成される成分を含まないトップコートを含む、請求項１〜８のいずれか一項に記載の方法。
【請求項１０】
前記インクまたはコーティング層の少なくとも１つは非反応性樹脂をさらに含む、請求項１〜９のいずれか一項に記載の方法。
【請求項１１】
第１のインクまたはコーティング層のみが光開始剤を含み、その後の層は全て光開始剤を含まない、又は、最後のインクまたはコーティング層のみが光開始剤を含み、その下の層全ては光開始剤を含まない、又は、３つ以上のインクまたはコーティング層が塗布され、第１のインクまたはコーティング層、および最後のインクまたはコーティング層は光開始剤を含み、中間層は全て光開始剤を含まない、請求項１に記載の方法。
【請求項１２】
前記層の順序は基材、プライマーコーティングの１つ以上の層、インクの１つ以上の層、およびトップコートの１つ以上の層である、又は、前記層の順序は基材、インクの１つ以上の層、およびトップコートの１つ以上の層である、又は、前記層の順序は基材、プライマーコーティングの１つ以上の層、およびインクの１つ以上の層である、又は、前記層の順序は基材、およびインクの２つ以上の層である、請求項１に記載の方法。
【請求項１３】
エネルギー硬化型材料を含まない１つ以上のインクまたはコーティング層をさらに含む、請求項１〜１２のいずれか一項に記載の方法。
【請求項１４】
前記基材は、紙、コート紙、板紙、金属箔、ポリマーフィルム、およびそれらの組み合わせからなる群より選択される、請求項１に記載の方法。
【請求項１５】
請求項１〜１４のいずれか一項に記載の方法を使用して調製される印刷物品。
【請求項１６】
ａ）多孔性基材を提供すること；
ｂ）エネルギー硬化性コーティング（Ｃ）を塗布すること；
ｃ）前記エネルギー硬化性コーティング（Ｃ）を硬化させること；
ｄ）前記硬化されたコーティング（Ｃ）の上面に、１つ以上のエネルギー硬化性インクまたはコーティング層（Ａ）および／または（Ｂ）を塗布することであって、
前記エネルギー硬化性インクまたはコーティング層の１つ以上は、光開始剤を含まないエネルギー硬化性インクまたはコーティング層（Ｂ）である、こと；
ｅ）１つ以上の光開始剤を含むトップコートである、ＵＶ硬化性コーティング層（Ａ）を塗布すること；ならびに
ｆ）前記トップコートおよび下にあるインクまたはコーティング層を同時に硬化させること
を含む、多孔性基材を印刷する方法。
【請求項１７】
前記エネルギー硬化性インクまたはコーティング層（Ｂ）の１つ以上は、少量の１つ以上の光開始剤を、１０ｗｔ％未満の量でさらに含む、及び／又は、前記多孔性基材は紙または板紙である、請求項１６に記載の方法。
【請求項１８】
請求項１６又は１７に記載の方法により調製される、印刷された基材。
【請求項１９】
請求項１８に記載の印刷された基材を含む物品。
【請求項２０】
ａ）第１の基材および第２の基材を提供することであって、前記第１または第２の基材の少なくとも１つはＵＶ照射に対して透明であること；
ｂ）１つ以上の光開始剤を含む、１つ以上のエネルギー硬化性インクまたはコーティング層（Ａ）を前記第１の基材または前記第２の基材の少なくとも１つに塗布すること；
ｃ）光開始剤を含まない１つ以上のエネルギー硬化性インクまたはコーティング層（Ｂ）を前記第１の基材または前記第２の基材の少なくとも１つに塗布すること；
ｄ）前記第１および第２の基材を濡れ面対濡れ面、または乾燥面対濡れ面で積層させること；ならびに
ｅ）ＵＶ照射に対して透明である前記基材を通して、前記エネルギー硬化性インクまたはコーティング層を同時に硬化させること
を含む、積層物品を調製するウエットトラッピング法。
【請求項２１】
前記第１および第２の基材の両方がＵＶ−照射に対して透明なフィルムである、又は、前記第１または第２の基材の１つがＵＶ−照射に対して透明なフィルムであり、前記第１または第２の基材のもう一方が紙である、請求項２０に記載の方法。
【請求項２２】
ＵＶ硬化性インクまたはコーティング層（Ａ）は前記第１の基材または前記第２の基材の１つに塗布され、ＵＶ硬化性インクまたはコーティング層（Ｂ）は前記第１または第２の基材のもう一方に塗布される、又は、ＵＶ硬化性インクまたはコーティング層（Ａ）およびＵＶ硬化性インクまたはコーティング層（Ｂ）は前記第１の基材または第２の基材の１つに塗布され、ＵＶ硬化性インクまたはコーティング層は前記第１または第２の基材のもう一方には塗布されない、又は、ＵＶ硬化性インクまたはコーティング層（Ｂ）およびＵＶ硬化性インクまたはコーティング（Ａ）は、前記第１の基材または前記第２の基材の1つに塗布され、ＵＶ硬化性コーティング（Ｂ）は前記第１または第２の基材のもう一方に塗布される、請求項２１に記載の方法。
【請求項２３】
請求項２１又は２２に記載の方法により調製される積層物品。